(57)【要約】  病変を処置するステント送達システムが提供される。このシステムは、分岐部病変の治療に適しており、狭小な筐体で、実質的に想定可能な並進的及び回転的な配置を可能とする。一態様において、システムは、固定ワイヤバルーンカテーテル及び部分的に取付けられたガイドワイヤルーメンを含む。ここで、ガイドワイヤルーメンはクロッチポイントでカテーテルに付着しており、クロッチポイントの位置は、実質的に想定可能な位置を提供するように事前に決定される。様々なタイプの病変や血管の構成のために、システムの様々な態様が記述されている。【選択図】図３
2007526073.tif 000002
【特許請求の範囲】
【請求項１】
ステント送達装置であって、
遠心端及び近心端を有し、前記近心端が剛性体により構成されたカテーテルと、
前記カテーテル上に配置された近心端及び遠心端と、それらに通じている膨張ルーメンとを備えた固定ワイヤバルーンと、
前記膨張ルーメンの中に配置され、前記剛性体の遠心端から、前記バルーンの前記遠心端まで伸びており、少なくとも前記カテーテルと部分的に接続されているコアワイヤと、
前記バルーンに沿って配置されたガイドワイヤルーメンと、を備えたステント送達装置。
【請求項２】
請求項１記載のステント送達システムであって、前記ガイドワイヤルーメンが前記バルーンに付着されたところに、クロッチポイントが定められるステント送達システム。
【請求項３】
請求項２記載のステント送達システムであって、前記クロッチポイントが、前記バルーンの前記遠心端に配置されたステント送達システム。
【請求項４】
請求項２記載のステント送達システムであって、前記クロッチポイントが、前記バルーンの前記近心端に配置されたステント送達システム。
【請求項５】
請求項２記載のステント送達システムであって、前記ステントが側孔を備え、前記クロッチポイントが前記側孔の遠心端に配置されたステント送達システム。
【請求項６】
請求項１記載のステント送達装置であって、少なくとも部分的に前記カテーテルに付着した前記コアワイヤは、前記剛性体の前記遠心端に第１の付着点と、前記バルーンの遠心端に第２の付着点と、前記第１と第２の付着点の間に少なくとも一つの異なる付着点と、を備えるステント送達装置。
【請求項７】
請求項１記載のステント送達装置であって、前記ガイドワイヤルーメンの近心端は、前記カテーテルの中に配置されたステント送達装置。
【請求項８】
請求項１記載のステント送達装置であって、前記コアワイヤは、０．００９〜０．０１２インチの範囲内の直径を有するステント送達装置。
【請求項９】
請求項１記載のステント送達システムであって、前記ガイドワイヤルーメンは、側肢ガイドワイヤルーメンであるステント送達システム。
【請求項１０】
請求項１記載のステント送達装置であって、前記固定ワイヤバルーンは、遠位バルーンであり、更に、前記カテーテルに、前記遠位バルーンより近位の近位バルーンを備えるステント送達装置。
【請求項１１】
請求項１０記載のステント送達装置であって、前記遠位バルーンと前記近位バルーンとは、別々に膨張することが可能であるステント送達装置。
【請求項１２】
請求項１０記載のステント送達装置であって、更に、前記遠位バルーン上に配置された遠位ステントと、前記近位バルーン上に配置された近位ステントとを備えるステント送達装置。
【請求項１３】
請求項１記載のステント送達装置であって、前記装置の外径が１ｍｍ未満であるステント送達装置。
【請求項１４】
ステント送達システムであって、主血管の中を前進させるための主長型要素と、補助血管の中を前進させるための補助長型要素と、クロッチポイントと、を備え、
前記主長型要素は、近心端と、遠心端と、前記近心端及び前記遠心端を連結する筐体と、を有し、
前記補助長型要素は、近心端と、遠心端と、を有し、部分的に前記主長型要素に付着し、
前記クロッチポイントでは、前記主長型要素の前記筐体が前記補助長型要素に付着しており、前記クロッチポイントの位置は、分岐部に前記システムが到達すると前記システムの前進を停止させるように構成されているステント送達システム。
【請求項１５】
請求項１４記載のステント送達システムであって、前記主長型要素はカテーテルであり、前記補助長型要素はガイドワイヤルーメンであるステント送達システム。
【請求項１６】
請求項１５記載のステント送達システムであって、前記カテーテルがバルーンを含むステント送達システム。
【請求項１７】
請求項１５記載のステント送達システムであって、前記カテーテルが、固定ワイヤバルーンカテーテル、オーバーザワイヤカテーテル、及び急速交換カテーテルからなる群より選択されるカテーテルであるステント送達システム。
【請求項１８】
請求項１４記載のステント送達システムであって、前記主長型要素はカテーテルであり、前記補助長型要素は位置決めシステムであるステント送達システム。
【請求項１９】
請求項１８記載のステント送達システムであって、前記位置決めシステムは、少なくとも一つのストッパと、取付機構とから構成されるステント送達システム。
【請求項２０】
請求項１９記載のステント送達システムであって、前記少なくとも一つのストッパは、スプリング・ワイヤーであるステント送達システム。
【請求項２１】
請求項１９記載のステント送達システムであって、前記取付機構がポリマジャケットであり、前記ポリマジャケットが、前記少なくとも一つのストッパの近位部を定位置に保持するように構成され、前記ポリマジャケットの遠心端を前記クロッチポイントとするステント送達システム。
【請求項２２】
請求項１４記載のステント送達システムであって、更に、前記主長型要素上に位置した側開口部を有するステントを備えるステント送達システム。
【請求項２３】
請求項２２記載のステント送達システムであって、前記側開口部が、専用の側開口部であるステント送達システム。
【請求項２４】
請求項２２記載のステント送達システムであって、前記クロッチポイントが、前記ステントの前記側開口部の遠位部に配置されたステント送達システム。
【請求項２５】
請求項１４記載のステント送達システムであって、更に、ステントが近心端及び遠心端を有し、前記ステントは、前記主長型要素上に位置し、前記クロッチポイントは、前記ステントの近心端に位置するステント送達システム。
【請求項２６】
請求項１４記載のステント送達システムであって、更に、ステントが近心端及び遠心端を有し、前記ステントは、前記主長型要素上に位置し、前記クロッチポイントは、前記ステントの遠心端に位置するステント送達システム。
【請求項２７】
請求項１４記載のステント送達システムであって、更に、近心端及び遠心端を有する近位ステントと、近心端及び遠心端を有する遠位ステントと、を備え、
前記近位ステントは、前記主長型要素上に配置され、
前記遠位ステントは、前記主長型要素上で、前記近位ステントの遠位に配置されているステント送達システム。
【請求項２８】
請求項２７記載のステント送達システムであって、前記クロッチポイントは、前記近位ステントの遠心端に位置されているステント送達システム。
【請求項２９】
請求項１４記載のステント送達システムであって、前記クロッチポイントは、前記主長型要素及び補助長型要素の筐体に付着されているステント送達システム。
【請求項３０】
請求項１６のステント送達システムであって、前記バルーンがテーパードバルーンであるステント送達システム。
【請求項３１】
請求項１４記載のステント送達システムであって、前記補助長型要素の前記近心端は、前記主長型要素の中に配置されており、更に、出口を備え、前記出口の近位に、前記補助長型要素が前記主長型要素の外側に出ているステント送達システム。
【請求項３２】
請求項１４記載のステント送達システムであって、前記補助長型要素の遠心端は、前記クロッチポイントの遠位に位置され、前記補助長型要素の前記遠心端は、前記主長型要素と離れているステント送達システム。
【請求項３３】
ステント送達システムであって、
遠心端及び近心端を有するカテーテルと、
前記カテーテル上に配置され、遠心端及び近心端を有するステントと、
遠心端及び近心端を有し、前記ステントの外側に配置された補助長型要素と、
前記ステントの前記近心端に配置され、前記補助長型要素が前記カテーテルに付着した位置となるクロッチポイントと、を備えたステント送達システム。
【請求項３４】
請求項３３記載のステント送達システムであって、前記補助長型要素が側肢ルーメンであるステント送達システム。
【請求項３５】
請求項３３記載のステント送達システムであって、更に、前記カテーテルの前記遠心端に固定ワイヤバルーンを備えたステント送達システム。
【請求項３６】
請求項３３記載のステント送達システムであって、更に、前記カテーテルの前記遠心端にテーパードバルーンを備えたステント送達システム。
【請求項３７】
請求項３３記載のステント送達システムであって、補助長型要素が位置決めシステムであるステント送達システム。
【請求項３８】
請求項３７記載のステント送達システムであって、前記位置決めシステムが、少なくとも一つのストッパと、取付機構とを備えたステント送達システム。
【請求項３９】
請求項３８記載のステント送達システムであって、前記少なくとも一つのストッパが、形状記憶合金からなるスプリング・ワイヤーであるステント送達システム。
【請求項４０】
請求項３８記載のステント送達システムであって、前記取付機構が、少なくとも一つのスプリング・ワイヤーの近心端を定位置に保持するためのジャケットであるステント送達システム。
【請求項４１】
ステント送達システムであって、
遠心端及び近心端を有するカテーテルと、
前記カテーテル上に配置され、遠心端及び近心端を有するステントと、
遠心端及び近心端を有し、前記ステントと前記カテーテルとの間に配置された補助長型要素と、
前記ステントの前記遠心端に配置され、前記補助長型要素が前記カテーテルに付着した位置となるクロッチポイントと、を備えたステント送達システム。
【請求項４２】
請求項４１記載のステント送達システムであって、前記補助長型要素がガイドワイヤルーメンであるステント送達システム。
【請求項４３】
請求項４１記載のステント送達システムであって、更に、前記カテーテルの前記遠心端に固定ワイヤバルーンを備えたステント送達システム。
【請求項４４】
請求項４３記載のステント送達システムであって、更に、前記固定ワイヤバルーンを通じて配置されたコアワイヤを備え、前記コアワイヤは、前記バルーンに少なくとも部分的に付着されたステント送達システム。
【請求項４５】
ステント送達システムであって、
遠心端及び近心端を有するカテーテルと、
前記カテーテルの前記遠心端上に配置され、遠心端及び近心端を有する遠位バルーンと、
前記遠位バルーンの近位の前記カテーテル上に配置された近位バルーンと、
前記近位バルーン上に配置され、遠心端及び近心端を有するステントと、
遠心端及び近心端を有し、前記ステントの内部に配置され、前記ステントの前記遠心端にて外に出ている補助長型要素と、
前記ステントの前記遠心端に位置され、前記補助長型要素が前記カテーテルに付着した位置となるクロッチポイントと、を備えたステント送達システム。
【請求項４６】
請求項４５記載のステント送達システムであって、前記補助長型要素が、側肢ルーメンであるステント送達システム。
【請求項４７】
請求項４５記載のステント送達システムであって、前記遠位バルーンは、前記遠位バルーンの前記遠心端に固定ワイヤを有するステント送達システム。
【請求項４８】
請求項４５記載のステント送達システムであって、更に、前記遠位バルーン上に配置された遠位ステントを備えたステント送達システム。
【請求項４９】
請求項４８記載のステント送達システムであって、前記ステントと前記遠位ステントとは、各々別々に取り付けられるステント送達システム。
【請求項５０】
請求項４８記載のステント送達システムであって、前記遠位ステントは、前記近位ステントよりも外径が小さいステント送達システム。
【請求項５１】
請求項４５記載のステント送達システムであって、前記補助長型要素の近心端は、前記カテーテルの中に配置されたステント送達システム。
【請求項５２】
請求項４５記載のステント送達システムであって、前記補助長型要素の遠心端は、前記クロッチポイントの遠位に位置し、前記補助長型要素の遠心端は、前記カテーテルと離れているステント送達システム。
【請求項５３】
カテーテルシステムであって、
遠心端と、近心端と、前記遠心端及び前記近心端を連結する筐体と、を有するカテーテルと、
遠心端と、近心端と、前記遠心端及び前記近心端を連結する筐体と、を有するガイドワイヤルーメンであって、前記ガイドワイヤルーメンの第１部分が、前記カテーテルの前記筐体の中に配置され、前記ガイドワイヤルーメンの第２部分が、前記カテーテルの前記筐体の外に配置されたガイドワイヤルーメンと、
前記カテーテルの前記筐体の上に配置された出口と、を備え、前記第１部分が前記出口の近位にあり、前記第２部分が前記出口の遠位にあるカテーテルシステム。
【請求項５４】
請求項５３記載のカテーテルシステムであって、更にクロッチポイントを備え、前記クロッチポイントにおいて、前記ガイドワイヤルーメンが前記カテーテルに付着し、前記クロッチポイントは前記ガイドワイヤルーメンの前記第２部分の上に位置するカテーテルシステム。
【請求項５５】
請求項５３記載のカテーテルシステムであって、前記クロッチポイントは、前記ガイドワイヤルーメンの前記遠心端に配置されたカテーテルシステム。
【請求項６０】
請求項５３記載のカテーテルシステムであって、前記クロッチポイントは、前記ガイドワイヤルーメンの前記遠心端に配置されたカテーテルシステム。
【請求項６１】
請求項５３記載のカテーテルシステムであって、更に、前記カテーテルの遠心端上にバルーンを備えたカテーテルシステム。
【請求項６２】
請求項６１記載のカテーテルシステムであって、前記カテーテルは、固定ワイヤバルーンであるカテーテルシステム。
【請求項６３】
請求項６２記載のカテーテルシステムであって、更に、前記バルーンに通じて配置され、少なくとも部分的に前記バルーンに付着されたコアワイヤを備えたカテーテルシステム。
【請求項６４】
分岐部を処置する方法であって、
血管枝の中に側肢ガイドワイヤを導入し、
近心端と、遠心端と、前記遠心端及び前記近心端を連結する筐体と、を有する、主血管の中を前進するための主長型要素と、
前記主長型要素と部分的に付着した筐体を備えた、前記血管枝の中を前進するための側肢要素と、
前記主長型要素の前記筐体と前記側肢要素の前記筐体とが付着されたクロッチポイントであって、前記クロッチポイントの位置は、分岐部で前記システムの前進を停止させるように構成されたクロッチポイントと、
前記主長型要素上に配置されたステントと、
を備えるステント送達システムを用意し、
前記側肢ルーメンの前記遠心端の中に前記側肢ガイドワイヤの近心端を挿入し、
前記分岐部に到達する前記クロッチポイントにより、自動的に停止するところまで、前記ステント送達システムを前記側肢ガイドワイヤ上で前進し、
前記ステントを展開することを含む方法。
【請求項６５】
直接ステントによって、血管内の病変部を処置する方法であって、
固定ワイヤバルーンを有するカテーテルと、前記バルーンに通じて配置されたコアワイヤと、少なくとも部分的に前記バルーンに沿って配置されたガイドワイヤルーメンと、前記バルーン上に配置されたステントと、を備えるステント送達システムを用意し、
前記血管の中に、前記病変部を通じて、ガイドワイヤを挿入し、
前記ガイドワイヤルーメンの中に前記ガイドワイヤの近心端を配置し、
前記ステントが前記病変部に位置するまで、前記ステント送達システムのガイドワイヤを前進し、
前記ステントを展開することを含む方法。
【請求項６６】
血管内の病変部を処置するための方法であって、
固定ワイヤバルーンを有するカテーテルと、前記バルーンに通じて配置されたコアワイヤと、少なくとも部分的に前記バルーンに沿って配置されたガイドワイヤルーメンと、前記バルーン上に配置されたステントと、を備えるステント送達システムを用意し、
前記ガイドワイヤルーメンの中にガイドワイヤを用意し、
前記血管を通して前記ステント送達システムを前進し、
前記病変部に前記ステントが配置されるまで、前記病変部を通して、前記固定ワイヤを導入し、
前記ステントを展開することを含む方法。
【発明の詳細な説明】
【技術分野】
【０００１】
本発明は、ステント送達装置、方法に関し、特に、狭小であり、回転的及び並進的の両方で想定可能に配置できる能力を有するステント送達装置に関する。
【背景技術】
【０００２】
従来技術として知られているステント送達装置には、いくつかの課題が関連して存在し、特に、分岐部病変の処置のための課題がある。まず、従来のステント送達装置は、外径が広く、特に、通常、２本のガイドワイヤルーメン（一つは主ガイドワイヤ用のものであり、一つは側肢ガイドワイヤ用のもの）を含んで構成されていることが知られている。現在、周知のシステムで比較的多くのものの特徴としては、所定の位置へアクセスする際に、操縦性が容易でない。更に、２本のガイドワイヤルーメンにより、頻繁にワイヤが絡み合う結果となり、何回も挿入したり戻したりすることなく、実施することが困難である。これらの装置における、その他の課題としては、血管内で適切でない配置となることである。この課題は、有効な場所に示された放射線不透過のマーカの利用で解決されている。しかしながら、実際の利用が３次元で行われるにもかかわらず、視覚化が２次元平面内で行われる。したがって、不適切な展開が通常行われてしまい、ステントジェイリングや、不十分な被覆といった結果が頻繁に起こる。
【０００３】
先行する分岐部ステント送達システムの例としては、米国特許番号６，０４８，３６１（Ｖｏｎ  Ｏｅｐｅｎ）に開示されている。システムは、放射状に増加された穴と、ステントが乗せられるバルーンカテーテルを含むステントを備え、バルーンカテーテルは、増加された穴の真中で抜け出るために、ガイドワイヤが通過する空房を備える。システムは、ガイドワイヤ用の、比較的広い外径を必要とする２つの通路を備える。加えて、２つのワイヤが。絡み合うという課題を生じる。
【０００４】
その他の先行する分岐部ステント送達システム、方法の例としては、米国特許番号６，６９２，４８３（Ｖａｒｄｉ他）と、米国公開番号２００１／００４９５４８（Ｖａｒｄｉ他）に開示されている。これらは、主ガイドワイヤルーメンと、側肢ルーメンを有する柔軟なサイドシースとを有するカテーテルを含む。その方法は、そのガイドワイヤの一つを最初に挿入し、次に、システムを前進させ、最終的に、２番目のガイドワイヤを前進することで、ワイヤの絡み合いを減らすことが開示されている。代替的に、ガイドワイヤの一つが、システムの中に収納され、システムが定位置になったときにのみ、抜け出される。しかしながら、ワイヤの絡み合いの課題は、システムの除去の際においても発生する可能性がある。加えて、ここに開示されているシステムは、分岐部を進みすぎてしまい、最善の結果とならない傾向がある。結果として、２重ルーメンの方法は、システム全体が、比較的大きなものとなる。
【０００５】
その他の先行する分岐部ステント送達システム、方法の類似した例としては、米国特許番号５，７４９，８２５（Ｆｉｓｃｈｅｌｌ他）と、米国特許番号６，６８２，５５６（Ｉｓｃｈｉｎｇｅｒ）に開示されている。このシステムは、側肢チューブを有するバルーンカテーテルを含み、２本のガイドワイヤ（１本が主血管用で、もう１本が血管枝用）を必要とする。前述の先行技術に類似して、筐体が大きく、ワイヤの絡み合いがあり、不正確な展開が、潜在的な課題である。
【０００６】
ワイヤの絡み合いを回避して、回転運動について改良された従来の装置が、米国公開番号２００３／００５５４８３（Ｇｕｍｍ）に開示されている。Ｇｕｍｍは、回転自在に設けられたバルーンを有するカテーテルで、更に、カテーテルバルーンに付着した側肢中空体を備える、カテーテルのアセンブリが開示されている。当該装置の特徴は、バルーンの反対側に密封された回転体を利用することである。したがって、側肢中空体、バルーン、回転体は、主ハイポチューブと比べると自由に回転できる装置として機能する。上記構成は、分岐部にて、側肢に対するステントの方向付けにおいて、より良くしたものを提供するために、不可欠なものと考えられている。しかしながら、この技術においても、システムの全体の直径が結果として大きくなる。更に、移動面において、ステントを正確な位置に配置する方法を提供していない。
【０００７】
固定ワイヤバルーンカテーテルを使うことで、単一ステント送達システムを狭小にする試みが、米国公開番号２００２／０１４７４９１（Ｋｈａｎ他）のように開示されている。その装置は、バルーンの遠心端に固定的に付着されたガイドワイヤの短い部分、又は、システムの中に延びるコアワイヤのいずれかを備えることが開示されている。これは、内部のガイドワイヤルーメンを排除することで、先行技術の装置と比べてシステムの大きさが小さい。しかしながら、このシステムは、分岐点にステントを配置することの可能性を教示、提供するものではなく、急速交換の高い能力のあるものを提供するわけではない。
【発明の開示】
【発明が解決しようとする課題】
【０００８】
したがって、上述の制限を回避するステント送達システムに対する、幅広いニーズがあり、このようなステント送達システムを提供することは、大きな利益があると考えられる。
【課題を解決するための手段】
【０００９】
本発明によれば、ステント送達装置が提供される。この装置は、遠心端及び近心端を有し前記近心端が剛性体により構成されたカテーテルと、前記カテーテル上に配置された近心端、遠心端、それらに通じている膨張ルーメンを備えた固定ワイヤバルーンと、前記膨張ルーメンの中に配置され、前記剛性体の遠心端から前記バルーンの前記遠心端まで伸びており、少なくとも前記バルーンに部分的に接続されているコアワイヤと、前記バルーンに沿って配置されたガイドワイヤルーメンと、を含む。
【００１０】
本発明によれば、ステント送達システムが提供される。このシステムは、近心端、遠心端、前記近心端及び前記遠心端を連結する筐体を有する、主血管の中を前進させるための主長型要素と、近心端及び遠心端を含む、補助血管の中を前進させるための補助長型要素と、を備える。前記補助長型要素は、部分的に前記主長型要素に付着する。システムは、クロッチポイントも含み、前記クロッチポイントでは、前記主長型要素の前記筐体が前記補助長型要素に付着しており、前記クロッチポイントの位置は、分岐部に前記システムが到達すると前記システムの前進を停止させるように構成される。
【００１１】
本発明のさらなる側面によれば、ステント送達システムが提供され、このステント送達システムは、近心端及び遠心端を有するカテーテルと、カテーテル上に配置されたバルーンと、を含み、前記バルーンは遠心端及び近心端を有し、前記バルーンはカテーテルに対して固定されており、ステント送達システムは、更に、バルーンの遠心端に付着したワイヤと、遠心端及び近心端を有する側要素と、を含み、前記側要素は少なくとも部分的に前記バルーンに付着している。
【００１２】
本発明のさらなる側面によれば、ステント送達システムが提供され、このステント送達システムは、近心端及び遠心端を有するカテーテルと、カテーテル上に配置されたバルーンと、を含み、前記バルーンは遠心端及び近心端を有し、ステント送達システムは、更に、バルーンの遠心端に付着したワイヤと、遠心端及び近心端を有する側要素と、を含み、前記側要素は少なくとも部分的に前記バルーンに付着しており、ステント送達システムは、更にクロッチポイントを含み、前記クロッチポイントの位置は、分岐部に到達したシステムの前進を停止するように構成されている。
【００１３】
本発明のさらなる側面によれば、ステント送達システムが提供され、このステント送達システムは、近心端及び遠心端を有するカテーテルと、カテーテルの遠心端上に配置されたバルーンとを含み、前記バルーンは遠心端及び近心端を有し、前記バルーンはカテーテルに対して固定されており、ステント送達システムは、更にステントを含み、前記ステントはバルーン上に配置され、側開口部を有し、前記側開口部は、近心端及び遠心端を有し、ステント送達システムは、更に、近心端及び遠心端を有する側肢ルーメンを含み、前記近心端は前記バルーンの近心端に付着し、前記遠心端は前記ステントの側開口部を通じて外に出るように構成されている。
【００１４】
本発明のさらなる側面によれば、ステント送達システムが提供される。このシステムは、近心端及び遠心端を有するカテーテルと、カテーテルの上に配置されたステントと、近心端及び遠心端を有する補助長型要素と、を含み、前記補助長型要素は、前記ステントと前記カテーテルとの間に配置され、システムは、更に、ステントの遠心端に配置されたクロッチポイントを含み、前記補助長型要素は、前記カテーテルに前記クロッチポイントで付着している。
【００１５】
本発明のさらなる側面によれば、ステント送達システムが提供され、このステント送達システムは、近心端及び遠心端を有するカテーテルと、カテーテルの上に配置されたステントと、を含み、前記ステントは、近心端及び遠心端を有し、ステント送達システムは、更に、近心端及び遠心端を有する補助長型要素と、を含み、前記補助長型要素は前記ステントの外側に配置され、ステント送達システムは、更に、前記補助長型要素が前記カテーテルにクロッチポイントで付着していることで、前記ステントの近心端に配置されたクロッチポイントを含む。
【００１６】
本発明のさらなる側面によれば、ステント送達システムが提供され、このステント送達システムは、近心端及び遠心端を有するカテーテルと、カテーテルの遠心端上に配置された遠位バルーンと、を含み、前記遠位バルーンは、近心端及び遠心端を有し、ステント送達システムは、更に、前記カテーテル上で、遠位バルーンの近位に配置された近位バルーンと、近心端及び遠心端を有するステントと、近心端及び遠心端を有する補助長型要素とを含み、前記補助長型要素は、前記ステントの内部に配置され、前記ステントの遠心端で抜け出ており、ステント送達システムは、更に、前記ステントの遠心端に配置されたクロッチポイントを含み、前記補助長型要素は前記クロッチポイントで前記バルーンに付着している。
【００１７】
本発明のさらなる側面によれば、カテーテルシステムが提供され、このカテーテルシステムは、遠心端、近心端、前記遠心端と前記近心端とを連結する筐体、を有するカテーテルと、遠心端、近心端、前記遠心端と前記近心端とを連結する筐体、を有する側肢ルーメンであって、前記側肢ルーメンの第１部分が前記カテーテルの前記筐体の中に配置され、前記側肢ルーメンの第２部分が前記カテーテルの前記筐体の外に配置される側肢ルーメンと、前記カテーテルの前記筐体の上に配置された出口と、を備え、前記第１部分が前記出口の近位にあり、前記第２部分が前記出口の遠位にある。
【００１８】
本発明のさらなる側面によれば、分岐部を処置する方法が提供され、この方法は、血管枝の中に側肢ガイドワイヤを導入し、主長型要素、側肢要素、クロッチポイントを含むステント送達システムであって、前記クロッチポイントの位置は、前記主長型要素と前記側肢要素とが付着するように構成され、前記クロッチポイントの位置は、前記システムが分岐部に到達したときに前進を停止するように構成され、更に、ステント送達システムは、前記主長型要素の上にステントを備えたステント送達システムを準備し、前記ステントを展開することを含む。
【００１９】
本発明のさらなる側面によれば、分岐部を処置する方法が提供され、この方法は、遠心端にバルーンを有するカテーテルと、前記バルーンの遠心端に配置された固定ワイヤと、少なくとも部分的に前記カテーテルに付着した側肢ルーメンとを有するステント送達システムを準備することを含む。ここで、付着した点は、停止点を決定する。分岐部を処置する方法は、更に、クロッチポイントが分岐部に到達することで、自動的に前進が止まる位置まで、前記ステント送達システムを、主血管を通じて前進することを含む。
【００２０】
本発明のさらなる側面によれば、直接ステントによって、血管内の病変部を処置する方法が提供される。この方法は、ステント送達システムであって、固定ワイヤバルーンを有するカテーテルと、前記バルーンに通じて配置されたコアワイヤと、少なくとも部分的に前記バルーンに沿って配置されたガイドワイヤルーメンと、前記バルーン上に配置されたステントと、を有するステント送達システムを準備し、前記血管の中に前記病変部を通じてガイドワイヤを挿入し、前記ガイドワイヤルーメンの中に前記ガイドワイヤの近心端を配置し、前記ステントが前記病変部に位置するまで、前記ステント送達システムのガイドワイヤを前進し、バルーンを膨張させ、前記ステントを展開することを含む。
【００２１】
本発明のさらなる側面によれば、血管内の病変部を処置する方法を提供する。本方法は、ステント送達システムを準備することを含み、前記システムは、固定ワイヤバルーンを有するカテーテルと、前記バルーンに通じて配置されたコアワイヤと、少なくとも部分的に前記バルーンに沿って配置されたガイドワイヤルーメンと、前記バルーン上に配置されたステントと、を有するステント送達システムを準備し、前記ガイドワイヤルーメンの中に前記ガイドワイヤを配置し、前記血管内を通じて前記ステント送達システムを前進し、前記ステントが前記病変部に配置されるまで、病変部を通じて、前記固定ワイヤを導入し、前記バルーンを膨張し、前記ステントを展開することを含む。
【００２２】
以下に記述される発明の好適な態様における、さらなる特徴によれば、主長型要素がカテーテルであり、補助長型要素が側肢ルーメンである。好適な態様では、カテーテルはバルーンを含む。前記カテーテルは、固定ワイヤバルーンカテーテル、オーバーザワイヤカテーテル、急速交換カテーテルのいずれかであってよい。一態様では、主長型要素がカテーテルであり、補助長型要素が位置決めシステムである。位置決めシステムは少なくとも一つのストッパを含み、前記ストッパはスプリング・ワイヤーであってよく、例えば取付機構を含み、一態様として、前記取付機構がポリマジャケットであり、前記ポリマジャケットは前記スプリング・ワイヤーの近位部を定位置に保持するように構成され、前記ポリマジャケットの遠心端がクロッチポイントを決める。
【００２３】
一態様として、前記システムは、主長型要素上に配置された側開口部を有するステントを含み、前記クロッチポイントが、前記ステントの前記側開口部の遠位部に位置する。他の態様では、前記システムは、近心端と遠心端とを有するステントを含み、前記ステントは、主長型要素上に配置される。ここで、前記クロッチポイントは、前記ステントの近心端に配置される。更に他の態様では、前記システムは、近心端と遠心端とを有する近位ステントと、近心端と遠心端とを有する遠位ステントとを含み、前記近位ステントは、主長型要素上に配置され、前記遠位ステントは、主長型要素上の近位ステントの遠位に配置されている。この態様では、前記クロッチポイントが、前記近位ステントの遠心端に位置されてよく、２つのステントが離れて配置されてよい。態様では、前記クロッチポイントの近位にて、主長型要素、補助長型要素の筐体が付着している。好適な態様では、前記システムの外径は、１ｍｍよりも少ない。典型的な態様では、システムの外径は、およそ０．５ｍｍである。
【００２４】
更に、記述された好適な態様における特徴によれば、ステント送達装置は、前記側肢ルーメンの近心端が前記カテーテルの中に配置される特徴を含み、側肢ルーメンの遠心端が、カテーテルの外側に配置されたバルーンと離れている。さらなる特徴によれば、ステント送達システムは、前記バルーンの遠心端に、遠位連結要素を含む。態様において、前記遠位連結要素は、側肢ルーメンとして、前記カテーテルと同じ側に配置され、前記遠位連結要素は、前記側肢ルーメンと前記遠位連結要素との両方を通じて配置変更可能な側肢ガイドワイヤを受けるように構成される。その他の態様では、前記遠位連結要素が、側肢ルーメンとして前記カテーテルの反対側に配置され、遠位連結要素を通じて、前記ステントの外側に、配置変更可能な主ガイドワイヤを受けるように構成される。
【００２５】
本発明は、狭小な筐体を有し、実質的に想定される並進的及び回転的な位置決めをするステント送達システムを提供することで、現在、知られている不十分な箇所を首尾よく解決する。
【００２６】
特段の記載がない限り、全ての技術的、科学的な用語は、本発明が属する通常の技術分野で、一般的に理解される意味と同一の意味を有する。ここで記述されていることと類似した又は同一の方法や装置は、実際に使用され又は本発明の試用に用いることが可能であり、最適な方法や装置は、以下で説明される。係争の場合には、定義を含めた特許明細書が参酌される。加えて、装置、方法、態様は一例に過ぎず、限定することを意図していない。
【発明を実施するための最良の形態】
【００２７】
本発明は、ステント送達システム、ステントを病変部へ送達するための方法である。具体的には、本発明は、血管内のステントを回転調整、並進調整することで位置決めすることに使用される。実質的に想定される調整を可能とすることに加えて、本発明の装置とシステムは、従来のステント送達システムに比べて、小さな外径を有する。特に、本発明は、分岐部の処置に適しており、かつ、ワイヤが絡むことの可能性を減少する。
【００２８】
本発明に従ったステント送達システムの原理及び作用は、図面及び付随の記述を参照することで、よりよく理解される。
【００２９】
本発明の一態様を詳細に説明するにあたって、本発明は、本出願において後述する記載や、図面に図示された内容から理解される詳細な説明や、構成要素の配置により限定されずに理解される。本発明は、他の態様や、様々な方法で実施可能である。加えて、ここに使用されている表現や専門用語は、記述の目的のためであり、限定して解釈されない。
【００３０】
図１を参照すると、この図は、堆積したプラークを有する血管分岐部の図である。主血管１と血管枝２が、分岐点３で分岐している。プラーク４の堆積は、血管の中の任意の場所で見つけられる。図１に示すように、分岐点３に又はその近傍に、堆積したプラークが存在するならば、その場所は、ステントを正確に配置することに関して、特別な技術が必要になる。分岐部に配置されるステントは、典型的には、分岐点のやや基端の方や、やや先端の方に配置される。この結果として、ステントジェイル、不充分な被覆のいずれか一方、又は両方の状態を導く。
【００３１】
図２を参照すると、この図は、分岐部ステント送達システム５の従来技術の図である。システム５は、専用の側孔８を有するステント７を備えたカテーテル６を含む。主ガイドワイヤ９は、主血管１の中に配置され、カテーテル６の中の主ガイドワイヤルーメンを貫通している。側枝ガイドワイヤ１１は、第２のガイドワイヤルーメンの中に配置され、側孔８を通過して、血管枝２の中に配置される。図１に示されるように、システム５では、配置の際に、分岐点３を進み過ぎる傾向がある。加えて、従来技術の分岐部ステントシステムは、一般的に、２つのガイドワイヤルーメン（主ガイドワイヤ９、側枝ガイドワイヤ１１）の存在により直径が大きい。更に、この２つのワイヤが頻繁に、お互いに絡まり、システムの送達又は／かつ除去に失敗する。
【００３２】
本発明は、実質的に想定される血管内での配置や調節を、並進運動及び回転運動の両方により可能にし、かつ、送達を容易にするために、狭小な筐体を保持し、ワイヤが交差することを排除することで、先行技術のシステムにおける制限を解決することを探求する。本発明の種々の異なる態様は、これより後の記述で示されるように、異なるタイプの病変の解決策を提供する。
【００３３】
［病変タイプ１、病変タイプ２、病変タイプ４］
第１の態様として、ステント送達システム１０は、図２９ａ、２９ｂ、２９ｄに示されているように、ＴＹＰＥ１（タイプ１）、ＴＹＰＥ２（タイプ２）又はＴＹＰＥ４（タイプ４）のそれぞれに送達されるように意図されている。これらのタイプの分岐部病変において、プラーク４は、少なくとも部分的に、分岐点３の周辺の主血管の中に位置し、血管枝２の中にもまた位置する。
【００３４】
図３及び図４ａ〜４ｄを参照すると、これらの図は、各々分岐部ステント送達システム１０を示し、一方がステントを有し、他方がステントを有していない図である。システム１０は、主長型要素１６と、主長型要素１６に沿った補助長型要素３４とを含む。好適な態様では、図３に示すように、補助長型要素３４は、出口３７の近位で主長型要素１６の中に入り、出口３７の遠位で、主長型要素１６に沿って配置される。その他の態様では、図８を参照して説明されるように、補助長型要素３４は、主長型要素１６に沿って配置される。
【００３５】
好適な態様では、主長型要素１６は、遠心端２０及び近心端２２を有するカテーテル１８である。バルーン２４は、カテーテル１８の遠心端２０に配置されている。カテーテル１８は、カテーテルの近心部に沿って配置されたハイポチューブ２５と、バルーン２４に連通しているハイポチューブ２５の中の膨張ルーメンとを含む。ハイポチューブ２５は、ステンレス鋼や、剛性を担保する適切な材質から構成される。カテーテル１８の遠心部に、ポリマジャケットをハイポチューブ２５に置換することで、血管中における案内の融通性を向上する。上記の膨張ルーメンは、カテーテル１８のポリマジャケット部を通じて、バルーン２４の中まで続いている。膨張ルーメンは、バルーン２４を適切な位置で膨張するために、流体、特に液体を、バルーン２４の中に導くように構成されている。膨張用の端子は、従来技術で知られている配置で、近心端２２に配置される。図３及び図４ａ〜４ｄに示されているカテーテル１８は、商業的に利用できるバルーンカテーテルであってよい。任意的に、トルカ装置が、トルク能力を高めるために、近心端２２に備えられていてもよい。そのようなトルカ装置は、従来技術として知られており、購入することができる。例えば、Ｑｏｓｉｎａ社（Ｅｄｇｅｗｏｏｄ，ＮＹ，ＵＳＡ，カタログパーツナンバー９７３３３）がある。
【００３６】
好ましい典型的な態様において、バルーン２４は、固定されたワイヤバルーンであり、それ自体は、結合領域２８でバルーン２４の遠心端に接続された固定ワイヤ２６を含む。コアワイヤ３０（又は骨組み）は、バルーン２４の内部に沿って配置され、カテーテル１８の柔軟な部分を固くする。好適な態様において、コアワイヤ３０は、固定ワイヤ２６と連続的である。本発明の特に特徴的なことは、コアワイヤ３０が、その近心端にてハイポチューブ２５に、その遠心端にてバルーン２４の遠心端に接続され、これらの間の少なくとも一つの他の場所において接続されている。再度、図４ａ及び図４ｃを参照すると、コアワイヤ３０は、断面図Ｂ−Ｂの領域で、カテーテル１８に結合され、側枝ルーメン３６は、カテーテル１８から抜け出る。更に、コアワイヤ３０は、商業的に利用できる固定ワイヤバルーンでの長繊維と比べると、比較的、厚い。そのような長繊維は、０．００５から０．００９インチ（最も一般的には、０．００７インチ）の範囲が典型的であるが、本発明のコアワイヤ３０は、０．００９から０．０１２インチ（最も好ましくは、０．０１インチ程度）である。コアワイヤ３０がカテーテル１８に結合していることに加えて、この厚さは、カテーテル１８の全体に沿った剛性を与える。この剛性は、カテーテル１８の近心端２２から遠心端２０へのトルク力の伝達を行い、ポリマジャケットの屈曲やねじりによって、上記力の損失を最小にするため、トルク能力を向上したシステムを提供する。更に、コアワイヤ３０による剛性や上述した特徴は、ポリマジャケット又はシステム１０のその他の対応する部分により、押す力の吸収を妨げることで、本発明のシステムの押し出し能力を向上することである。
【００３７】
システム１０は、主長型要素１６の上に配置されたステント１２を含み、ステント１２は側開口部１４を有する。ある態様では、側開口部１４が、専用の側開口部であり、他の態様では、側開口部１４は、ステント１２のその構造の内にある、任意の開口部である。例えば、支柱がダイヤモンド型のステントは、専用の側開口部を必要としないと想定され、どんなセルも、血管枝に到達するために使用されてよい。好適な態様では、補助長型要素３４は、そこを通して、側枝ガイドワイヤを配置するための側枝ルーメン３６である。側枝ルーメン３６は、遠心端４０及び近心端４２を有し、近心端４２にてカテーテル１８に付着され、遠心端４０でカテーテル１８から離れている。主長型要素及び補助長型要素が分離するポイント（この態様では、カテーテル１８及び側枝ルーメン３６）は、クロッチポイント４４として定義される。その他の態様として、側枝ルーメン３６は、クロッチポイント４４の近位及び遠位の両方で、カテーテル１８と離れており、クロッチポイント４４でのみカテーテル１８に付着している。更に、コアワイヤ３０は、本処置中、蛍光により視認可能な蛍光マーカ３２を含む。好適な態様では、マーカ３２は、ステント１２の各々の終端と、クロッチポイント４４にマーカの列を形成することで、位置合わせされている。典型的に好適な態様では、付加的にマーカされる部分は、側枝ルーメン３６の遠心端４０を含む。この構成は、血管内のシステム１０の回転調整の指標を与える。マーカの配置及び調整については、図２７ａ〜２７ｄ、図２８を参照して更に詳細に説明する。他の態様としては、システム１０における重要な位置を視認可能にすると考えられる任意のマーカの配置を行うことができる。
【００３８】
クロッチポイント４４は、好ましくは、側肢ルーメン３６の遠心端４０の近傍に位置する。図のクロッチポイントの記載は、ここに示すための目的だけであり、図示されているような実際に接続する要素を含まなくてよい。離れた部分の長さは好適には、１ｍｍより小さい。典型的な好適な例では、離れた部分の長さは、およそ０ｍｍ（すなわち、側肢ルーメン３６の遠心端４０は、クロッチポイント４４にある）である。この態様では、側肢ルーメン３６の中のガイドワイヤは、図５を参照して、以下で述べられるように、側肢血管枝の中に入るように構成される。このガイドワイヤは、側肢ルーメン３６の中に配置され、主長型要素１６がクロッチポイント４４を形成する。その他の態様において、離れた部分の長さは、およそ１〜５ｍｍ、更に好適には、およそ２ｍｍである。側肢ルーメン３６は、近位にかつ遠位に、必要なだけの長さであってよい。好適な態様において、クロッチポイント４４の近位にある側肢ルーメン３６の部分は、およそ、１０〜３０ｍｍである。典型的に好適な態様では、およそ２５ｍｍである。ハイポチューブ２５の少なくとも一部に沿った近位に、側肢ルーメン３６を延長することで、システム１０の剛性が増加する。したがって、その血管内の回転運動を容易にさせる。その他の態様において、クロッチポイント４４の近位にある側肢ルーメン３６の部分は、およそ、５〜１５ｍｍである。
【００３９】
Ａ−Ａ、Ｂ−Ｂ、Ｃ−Ｃの線に沿って、断面図が、図４ｂ、４ｃ、４ｄに各々描かれている。図４ｂに示すように、近位な場所において、側肢ルーメンカテーテル１８の中に位置する。コアワイヤ３０は、中心に位置し、側肢ルーメン３６は、コアワイヤ３０及びカテーテル１８の端部の間に位置する。図４ｃに示すように、出口３７にて、側肢ルーメン３６が、カテーテル１８に結合されている。図４ｄに示すように、出口３７の遠位にて、側肢ルーメン３６が外側に位置し、バルーン２４に隣接する。
【００４０】
次に、図５を参照するが、この図は、分岐部に配置されたシステム１０の図である。クロッチポイント４４は、血管内のステント１２の位置決めにおいて、重要な要素である。主血管１の中のカテーテル１８、及び血管枝２の中の側肢ルーメン３６内にある側肢ガイドワイヤ３８により、分岐点３にクロッチポイント４４が達することで、システム１０は、この点を越えて進むことができない。したがって、システム１０は、実質的に想定されるように配置され、進みすぎることが防止される。側肢ガイドワイヤ３８は、最良の剛性を有するものが選ばれる。好適な態様では、ガイドワイヤ３８は、中程度の剛性を有し、システム１０を案内するのに充分な剛性を有し、かつ、クロッチポイント４４を越えてシステム１０が進むことを妨げるのに充分な剛性を有するが、血管に穴を開けるほど強い剛性を有しない。
【００４１】
典型的に好適な態様において、システム１０を導入する方法について説明する。側肢ガイドワイヤ３８は、血管枝２の中に配置される。側肢ガイドワイヤ３８の近心端は、側肢ルーメン３６遠心端４０の中に通じる。側肢ルーメン３６の中に配置された側肢ガイドワイヤ３８により、システム１０は、主血管１の中を前進させられる。固定ワイヤ２６は、前進するときの指標となる。その他の態様において、最初に、側肢ガイドワイヤ３８は用いられず、システム１０は、指標としての固定ワイヤ２６のみを使用して前進させられる。この態様では、側肢ガイドワイヤ３８が、最初、側肢ルーメン３６に積まれて、システム１０が主血管１を通じて前進させられるときに、側肢ルーメン３６の中に保持される。いずれの態様であっても、システム１０は、絡むことの危険がなく自由に回転する。クロッチポイント４４が分岐点３に達したとき、システム１０の前進は、自動的に停止する。このポイントで、システム１０における、血管枝２の中の側肢ガイドワイヤ３８の定位置となり、かつ、ステント１２の並進的、回転的に適切な位置となる。その後、バルーン２４は、膨らまされ、血管内にステント１２を展開する。したがって、クロッチポイント４４の正確な位置が、位置決めのための正確な場所となる。展開の後に、システム１０は、血管枝２から取り除かれる。記述されている本発明の特徴的な点は、必要であれば、肢ガイドワイヤ３８を通じて、カテーテルを急速に交換させる機能を提供する。
【００４２】
本発明の特徴は、回転運動、並進運動の両方で、正確な位置決めを行うことを可能とし、更に、全体の外径が小さいことは明らかである。好適な態様では、全体の外径は、０．５〜１．５ｍｍである。特に、側肢ルーメン３６をバルーン２４に、直接的に接続することで、例えば、クロッチポイント４４の位置を予測可能とし、側肢ルーメン３６は、並進運動する面における指標となる。固定ワイヤの使用は、トルク能力を高め、回転を容易にするが、特に、１本のみのガイドワイヤ（すなわち、肢ガイドワイヤ）にて効果がある。結合の存在、比較的厚いコアワイヤ３０により、剛性、並びに、トルク及び押し出す力の伝達の容易化が提供される。側肢ルーメン３６の配置は、遠心端４０がその主長型要素１６と離れており、すなわち、そこを通して配置されたガイドワイヤが、主長型要素１６と離れており、側肢ルーメン３６の血管枝２への最初の侵入を可能にする。これらの側面は、絡みを生じることなく、実質的に想定可能なシステムの回転と、実質的に想定可能な回転運動の位置決めを可能にする。
【００４３】
次に、図６を参照すると、この図は、本発明の代替的な態様を示すシステム１０の図である。図６に示すように、システム１０は、更に、バルーン２４の遠心端に接続された遠心接続要素４６を含み、好適な態様では、遠心接続要素４６は、バルーン２４の結合領域２８で接続されている。代替的な態様では、遠心接続要素４６は、側肢ルーメン３６の遠位のバルーン２４上の任意の位置に接続される。遠心接続要素４６は、システム１０が分岐点３の周辺に存在するまで、側肢ガイドワイヤ３８を保持するように配置される。これは、側肢ガイドワイヤ３８が、システム１０の送達の間、血管の中を動いてしまうことや、損傷を与えることを防止する。システム１０が、分岐点３の近傍の範囲内にあるときに、側肢ガイドワイヤ３８は、近位に引張られ、遠心接続要素４６から離れ、血管枝２の中を前進する。その後、システム１０は、クロッチポイント４４まで前進し、さらなる前進を停止させ、バルーン２４が膨らみ、ステント１２が展開される。
【００４４】
図８を参照すると、この図は、本発明の更に異なる態様についてのシステム１０の図である。側肢ルーメン３６は、外側に、主長型要素１６に沿って、配置される。クロッチポイント４４は、側肢ルーメン３６及びバルーン２４の間の接続点と近位に位置している。側肢ルーメン３６の一部分は、接続点とクロッチポイント４４との間にあり、バルーン２４に接続されていてもよいし、離れていてもよい。
【００４５】
図９ａ、９ｂを参照すると、これらの図は、本発明の更に異なる態様についてのシステム１０について、ステントとともに示した図である。この図では、側孔１４が、専用の側孔ではなく、むしろ、ステント１２の筐体の中にある任意の開口部である。このような種類のステントは、ここに記載されている全ての態様に適用されてよい。システム１０は、固定ワイヤではなく、バルーン２４の遠心端に、主ガイドワイヤ３９、を含む。主ガイドワイヤルーメン５０が、バルーン２４の結合領域２８に配置される。好適な態様では、主ガイドワイヤルーメン５０は、比較的、短い（すなわち、１〜５ｍｍ）。代替的な態様では、主ガイドワイヤルーメン５０は、バルーン２４の側面に沿って、近位にまで延長される。好適な態様では、図９ａに示すように、主ガイドワイヤ３９は、主ガイドワイヤ３９及び側肢ガイドワイヤ３８のワイヤの交差を避けるために、ステント１２の外部に位置する。代替的な態様では、図示したように、主ガイドワイヤルーメン５０は、側肢ルーメン３６とは逆側に配置される。
【００４６】
図示しない、本発明の代替的な態様では、システム１０は、固定ワイヤの代わりに、主ガイドワイヤルーメンを含み、更に、上述した異なる態様に対応した、クロッチポイント４４を含む。
【００４７】
［タイプ４Ａ、４Ｂの病変］
第２の態様において、ステント送達システム１１０は、図２９ｅ、２９ｆに示されるように、タイプ４Ａ、４Ｂの分岐部病変に送達されるように意図されている。タイプ４Ａの病変は、プラーク４が、分岐点３の近傍の、血管枝２の中に位置している。タイプ４Ｂの病変では、プラーク４が、主血管１の分岐点３の近位に位置する。そのような配置となる一例としては、冠動脈があり、例えば、冠動脈内にプラークが被覆することで生じる左冠動脈前下行枝（ＬＡＤ）の閉塞が回避される必要がある。他の例には、腎動脈、左冠動脈主幹部、静脈グラフト等が含まれる。
【００４８】
次に、図１１ａ〜１１ｃを参照すると、これらの図は、タイプ４Ａ、４Ｂの分岐部病変に、ステントを送達するためのシステム１１０であって、上述とは異なるシステム１１０の図である。システム１１０は、図１１ａに示すように、固定ワイヤを用いてもよいが、図１１ｂに示されるように、オーバーザワイヤシステムであってもよいし、図１１ｃに示されるように、急速交換システムであってもよい。
【００４９】
図１１ａを参照すると、単一のワイヤのシステムとして意図されたシステム１１０の図である。システム１１０は、主長型要素１１６と、補助長型要素１３４とを含み、好適な態様では、主長型要素１１６がカテーテル１１８である。好適な態様では、カテーテル１１８は、自身の遠心端に固定ワイヤ１２を有するバルーン１２４を含む。ステント１１２は、バルーン１２４の上に配置されている。好適な態様では、補助長型要素１３４が、側肢ルーメン１３６であり、クロッチポイント１４４でカテーテル１１８に付着している。側肢ルーメン１３６は、近心端１４２及び遠心端１４０を有する。好適な態様では、側肢ルーメン１３６は、近位に、カテーテル１１８の中に配置され、出口１３７にて抜け出ており、クロッチポイント１４４で主長型要素１１６に付着されている。出口１３７及びクロッチポイント１４４の間で、側肢ルーメン１３６は、付着されていたり、離れていたりしてよい。好適な態様においては、側肢ルーメン１３６の遠心端は、クロッチポイント１４４にあり、そこを貫通するガイドワイヤは、停止点を示すために、遠位にまで伸びる。代替的な態様では、側肢ルーメンの遠心端が、クロッチポイント１４４の遠位１〜５ｍｍに配置され、この位置でカテーテル１１８と離れる。
【００５０】
代替的な態様において、側肢ルーメン１３６は、クロッチポイント１４４の近位で、カテーテル１１８の外部に沿って配置され、クロッチポイント１４４の遠位に長型要素１１６とは離れている。代替的な態様において、側肢ルーメン１３６は、クロッチポイント１４４の近位及び遠位の両方で、カテーテル１１８と離れている。クロッチポイント１４４は、ステント１１２の近心端の近くに配置される。好適な態様では、クロッチポイント１４４は、ステント１１２の遠心端の近くに配置される。
【００５１】
図１１ｂを参照すると、この図は、システム１１０’のオーバザワイヤ、２重レールシステムを示している。システム１１０は、図１１ａに示される。システム１１０’は、バルーン１２４’の遠心端上に固定ワイヤの代わりに、主ガイドワイヤ１２５が存在し、カテーテル１１８’の長さ方向に伸びていることを除いて、図１１ａに示されるシステム１１０に類似する。主ガイドワイヤは、主血管１の中に入るように、主ガイドワイヤルーメン１２５を通じて配置される。システム１１０’は、主ガイドワイヤルーメン１２５の中に配置される主ガイドワイヤにより、あるいは、側肢ルーメン１３６’の中に配置された肢ガイドワイヤにより、定位置に導入されてよい。
【００５２】
図１１ｃを参照すると、この図は、システム１１０’’の図であり、急速交換２重ワイヤシステムを示す。システム１１０’’は、固定ワイヤ、又はカテーテル１１８’’の長さ方向に伸びている主ガイドワイヤルーメンの代わりに、短型主ガイドワイヤルーメン１２７が存在し、これが出口１２９まで近位に伸びていることを除いて、図１１ａ、１１ｃに示すシステム１１０及び１１０’の両方に類似する。これらのシステムの種類は、当該技術において広く知られており、カテーテルの交換を容易にすることが知られている。本発明においては、クロッチポイント１４４の位置は、血管内の更に適切な場所であってよい。
【００５３】
図１２を参照すると、この図は、タイプ４Ｂの病変のための分岐点３に配置されるシステム１１０の図である。側肢ガイドワイヤ１３８は、血管枝２の中に備えられる。システムの種類に依存して、側肢ルーメン１３６のクロッチポイント１４４が、分岐点３に着くまで、システム１１０は、側肢ガイドワイヤ１３８、固定ワイヤ１２６又は、主ガイドワイヤ１３９のどちらかに案内される。好適な態様では、遠心端１４０は、クロッチポイント１４４に存在し、ガイドワイヤ１３８だけが、血管枝２に入る。代替的な態様では、側肢ルーメン１３６は、側肢血管枝２の中で伸びる。システム１１０は、ゆっくりクロッチポイント１４４まで前進させられ、自動的にシステム１１０が前進を停止した後に、分岐点３に到達する。その後、バルーン１２４は膨らまされ、ステント１１２を展開し、展開の後、バルーン１２４が収縮させられ、システム１１０が取り除かれる。タイプ４Ａの病変にとって、同様の方法が使用されるだろう。ここで、側肢ガイドワイヤ１３８は、主血管３の中に備えられよく、システム１１０が血管枝２の中に案内されてよい。
【００５４】
代替的な態様では、ステント送達システム２１０は、図１３に示すように、分岐部病変に送達されるように設計され、主血管１と、この主血管１と所定の角度で結合される血管枝２とを有し、プラーク４が、血管枝２の中の分岐点３のある領域に位置する。典型的に好適な態様としては、主血管１が大動脈である。
【００５５】
次に、図１４ａ、１４ｂを参照すると、これらの図は、本発明の態様によるシステム２１０の外観を示す。システム２１０は、主長型要素２１６と、補助長型要素２３４とを含む。好適な態様では、主長型要素２１６は、近心端２２２及び遠心端２２０を有するカテーテル２１８である。カテーテル２１８は、遠心端２２０にバルーン２２４を備え、その上に配置されたステント２１２を有する。ある態様では、バルーン２２４は、主ガイドワイヤルーメン２２７を含む。代替的な態様では、第１と第２の態様を参照して記述され、少なくとも図４ａ、図１１ａに示されるように、バルーン２２４は、固定ワイヤバルーンである。好適な態様では、主ガイドワイヤルーメン２２７は、カテーテル２１８に沿った近位の方向に部分的に伸びて、急速な交換のための出口２２９を含む。代替的な態様では、システム２１０は、オーバーザワイヤシステムであり、主ガイドワイヤルーメン２２７が、カテーテル２１８の近心端の近位に伸びる。好適な態様では、補助長型要素２３４が位置決めシステム２３６であり、これについては、これ以降に詳細に後述される。
【００５６】
態様において、位置決めシステム２３６は、ストッパ要素２５０と取付機構２５２とを含む。好適な態様では、ストッパ要素２５０は、取付機構２５２から離れており、例えば、スプリング・ワイヤーや、フレキシブル・ポリマーや、その他任意の材料から構成されてよく、第１の状態で伸ばされて、第２の状態で折り曲げられて跳ね上がる、又はストッパとして機能する。代替的な態様では、ストッパ要素２５０が、取付機構２５２の一部分であり、第１の状態に伸ばすことが可能であり、第２の状態で、ストッパとして機能する。好適な態様では、ストッパ要素２５０が、形状記憶合金（例えば、ニチノール）から構成される。ここに記述した態様では、スプリング・ワイヤーが、ストッパ要素２５０として使用される。スプリング・ワイヤーは、伸びていない位置で、カテーテル２１８と実質的に水平に置かれ、とぐろ巻きになる、あるいは、ストッパから解放されたときに跳ね上がる。クロッチポイント２４４を形成し、取付機構２５２は、スプリング・ワイヤーを、主長型要素２１６に付着する。好適な態様では、取付機構２５２は、近心端２５６及び遠心端２５４を備えるジャケットである。取付機構２５２によって覆われるストッパ要素２５０の近位部は、比較的、真っ直ぐであり、ストッパ要素２５０の遠位部は覆われず、自由に動くことができるため、取付機構２５２は、少なくとも部分的にストッパ要素２５０（スプリング・ワイヤーとして図示されているように）を覆う。取付機構２５２は、生体適合性を有する任意の材料で構成してよく、好ましくは、ポリマーから構成される。好適な態様では、クロッチポイント２４４が、バルーン２２４の近心端に位置される。
【００５７】
次に、図１４ｂを参照すると、この図は、上記態様のＡ−Ａ線に沿ったシステム２１０の断面図である。カテーテル２１８は、主ガイドワイヤルーメン２３９を導入するための主ガイドワイヤルーメン２２７を備える。カテーテル２１８の周りに、ストッパ要素２５０があり、カテーテル２１８は、取付機構２５２によって適所に保持される。
【００５８】
次に、図１５ａ、１５ｂを参照すると、これらの図は、ホルダ２５４の中に、部分的に覆われているシステム２１０を示す。ホルダ２５４の目的は、分岐点３に到達するまで実質的に真っ直ぐな状態でストッパ要素２５０を、一時的に保持するためである。この態様では、ホルダ２５４は、取り外される（ピールアウェイ）装置である。ホルダ２５４は、定位置にある場合に、ストッパ要素２５０は、覆われており、主長型要素２１６の面にほぼ沿っている。図１５ａ、１５ｂに示す態様では、ストッパ要素２５０が、ステント２１２に沿って伸びるように、遠心方向に伸びている。クロッチポイント２４４の近位の領域は、図１５ｂの断面図に示されており、カテーテル２１８の中の主ガイドワイヤルーメン２２７と、取付機構２５２に覆われたストッパ要素２５０と、取付機構２５２を包囲するホルダ２５４とを含む。
【００５９】
次に、図１６ａ、１６ｂを参照すると、これらの図は、本発明の他の態様に一致したホルダ２５４に部分的に覆われたシステム２１０を示す。図１６ａ、１６ｂに示すように、ストッパ要素２５０は、近位の方向に曲げられており、ストッパ要素２５０を取り囲み、それらを定位置に保持するホルダ２５４が示されている。クロッチポイント２４４の近位の領域では、図１６ｂの断面図に示されているように、カテーテル２１８の中に主ガイドワイヤルーメン２２７と、取付機構２５２の内部及び外部の両方に覆われたストッパ要素２５０と、取付機構２５２及びストッパ要素２５０を取り囲むホルダ２５４と、を含む。
【００６０】
次に、図１７を参照すると、この図は、ガイドカテーテル２６０の中のシステム２１０を示す。ガイドカテーテル２６０は、システム２１０が導入される近心端２６２と、血管に通じた遠心端２６４と、を含む。ストッパ要素２５０が、ガイドカテーテル２６０の中に定位置のままに保持されるため、システム２１０は、ガイドカテーテル２６０の近心端２６２に案内されて、ホルダ２５４が取り除かれる。好適な態様では、ホルダ２５４は、取り外し可能なシステム（ピールアウェイシステム）であり、システム２１０がガイドカテーテル２６０の中に導入されている間に、外壁が取り外され、システムから排除されてよい。この場合は、その筐体の外にまで実行される。代替的な態様では、ホルダ２５４が鞘のような覆い形状であり、システム２１０がガイドカテーテル２６０へと導入されるときに、ホルダ２５４を引き戻すことが可能である。ホルダ２５４は、システム２１０がガイドカテーテル２６０の中にある間、ストッパ要素２５０を定位置に保持するための任意の装置であってよい。
【００６１】
次に、図１８ａ、１８ｂを参照すると、この図は、本発明の態様による分岐部に用いられるシステム２１０を導入するための方法を示す。中に配置されたシステム２１０を備えるガイドカテーテル２６０が、主血管１の中を通して、分岐点３まで導入される。ガイドカテーテル２６０の遠心端２６４は、例えば、蛍光性のマーカのような、現在、知られている技術で、視覚化されている。ガイドカテーテル２６０の遠心端２６４は、血管枝２の入口であり、システム２１０は、図１８ａに示されるように、ガイドカテーテル２６０の遠心端２６４を通じて前進させられる。システム２１０が前進させられると、ストッパ２５０が、ガイドカテーテル２６０によって、もはや定位置を保持できなくなり、図１８ｂに示すように、ストッパ２５０は、第２の状態となり、跳ね上がり、渦を巻き、ストッパとして機能する。その後、システム２１０は、図１８ｃに示すように、ストッパ要素２５０がシステム２１０を更に前進することを防止するまで、前進する。このポイントで、システム２１０は、適切な位置となり、ステント２１２が展開される。
【００６２】
［Ｙ字型分岐部］
その他の態様としては、図１９に示すように、Ｙ字型の状態を有する分岐部３に送達されるよう意図されたステント送達システム３１０である。主血管１は、２つの分岐血管；第１血管枝２及び第２血管枝２’、に枝分かれしている。そして、プラーク４が、分岐点３の領域の主血管及び／又は血管枝の中に位置する。
【００６３】
図２０を参照すると、この図は、本発明の態様に一致した、ステント送達システム３１０の図である。システム３１０は、主長型要素３１６と補助長型要素３３４とを含む。好適な態様では、主長型要素３１６は、カテーテル３１８である。カテーテル３１８は、近心端３２２と遠心端３２０とを有する。近心端３２２は、２つを膨張するためのＹバルブを有するハブ３２１を備える。遠心端３２０は、２つのバルーン；近位バルーン３２４及び遠位バルーン３２５、を有する。近位バルーン３２４及び遠位バルーン３２５の各々は、各々自身の膨張通路により、流動物が通過するように連通している。外部膨張通路３３５は、近位バルーン３２４に連通しており、内部膨張通路３２７が遠位バルーン３２５に連通している。外部膨張通路３３５は、内部膨張通路３２７と同軸上になっている。代替的に、外部膨張通路３３５及び内部膨張通路３２７は、並んで配置される。他の例では、バルーン３２４、３２５は、別々に膨張してもよい。代替的な態様では、外部膨張通路は遠位バルーン３２５に連通しており、内部膨張通路３２７は近位バルーン３２４に連通している。好適な態様では、遠位バルーン３２５が、その遠心端に固定ワイヤ３２６を有する。代替的な態様では、システム３１０が、主ガイドワイヤルーメン又は、図６に示される遠心接続要素５０のような短型外部ガイドワイヤルーメンを含む。
【００６４】
好適な態様では、補助長型要素３３４が、近心端３４２と遠心端３４０とを有する側肢ルーメン３３６である。好適な態様では、側肢ルーメン３３６は、カテーテル３１８の内部に位置し、出口３３７で、そこから外に出る。出口３３７とは遠位に、側肢ルーメン３３６は、近位バルーン３２４に隣接され、クロッチポイント３４４まで、付着されている。代替的な態様では、側肢ルーメン３３６は、近位バルーン３２４に沿って横たわって配置されている。
【００６５】
次に、図２１を参照すると、この図は、システム３１０にステントを備えた図である。好適な態様では、図示されているように、２つのステントが含まれる。近位ステント３１２が、近位バルーン３２４上に配置され、遠位ステント３１３が、遠位バルーン３２５上に配置される。各々のステントは、対応したバルーンを膨らませることで、別々に展開されてよい。側肢ルーメン３３６の遠心端が近位ステント３１２の遠心端とほぼ並ぶように、近位ステント３１２が配置される。側肢ルーメン３３６及びステント３１２の遠位の端が、クロッチポイント３４４を形成する。代替的な態様では、側肢ルーメン３３６が、クロッチポイント３４４を通り越して伸びる。本出願で先に記述された態様の全てが、更に、ここで適用されてよい。
【００６６】
代替的な態様では、システム３１０が、その適用に応じて、１，２つのステントを含む、又はステントを全く含まない。例えば、システム３１０は、近位バルーン３２４の上のステントのみにより、プレディラテーション（ｐｒｅｄｉｌａｔａｔｉｏｎ）のために使用されてよい。代替的に、テーパ管が、２つの異なるステントサイズを必要としてよく、所定のサイズのステントは遠位バルーン３２５上に配置され、異なるサイズの他のステントは近位バルーン３２４に配置される。
【００６７】
次に、図２２ａ〜２２ｄを参照すると、これらの図は、Ｙ字型分岐部の中にシステム３１０を展開する方法を示す。第１に、側肢ガイドワイヤ３８が第１血管枝２に導入される。そして、側肢ガイドワイヤ３３８の近心端が、側肢ルーメン３３６の遠心端を通じて、配置される。システム３１０は、主血管１及び第２血管枝２’を通じて、側肢ガイドワイヤ３８上を前進させられる。クロッチポイント３４４が、分岐点３に到達した場合に、システム３１０は、前進することができず、システム３１０は、図２２ａに示すように定位置となる。図２２ｂに示すように、遠位バルーン３２５は、内部膨張通路３２７を通じて膨張され、血管枝の中の遠位ステント３１３を、分岐点３から少し離れたところで、血管枝内で展開する。代替的な方法は、図２２ｃに示され、近位ステント３１２が最初に展開され、その後、遠位ステント３１３が展開される。代替的な態様では、両方のステントが、同時に展開されてよい。ステントの両方が展開され定位置にある最終的な結果は、図２２ｄに示される。
【００６８】
次に、図２３を参照すると、この図は、本発明の代替的な態様であるテーパードバルーンシステム４１０を示す。上述の態様に類似して、テーパードバルーンシステム４１０は、主長型部及び補助長型要素４３４を含む。好適な態様では、補助長型要素４３４が、側肢ルーメンである。バルーンは、近位及び遠位に所定の外径を有し、遠位の外径は近位の外径とは異なる。好適な態様では、遠位の外径は、近位の外形よりも小さく、その逆であってもよい。この種類のバルーンシステムは、血管の遠位部の中でステントの過度膨張を回避するために、血管の中にテーパードステントを導入する場合に、便利であるだろう。
【００６９】
［タイプ３の病変］
他の態様として、ステント送達システム５１０は、図２９ｃに示されたＴＹＰＥ３（タイプ３）の分岐部病変に送達されることを意図している。タイプ３の病変において、プラーク４が、分岐点３の位置の近位の主血管１に位置している。ステント送達システム５１０は、同様に以下で説明するように、分岐のない血管にも、送達される場合にも適用される。
【００７０】
次に、図２４ａ〜２４ｃを参照すると、これらの図は、タイプ３の分岐部病変へステントを送達するシステム５１０の態様を示す。システム５１０は、図２４ａに示されるように、固定ワイヤを用いてもよく、図２４ｂに示されているように、オーバーザワイヤシステムに、又は、図２４ｃに示されるように、急速交換システムに適用されてよい。
【００７１】
次に、図２４ａを参照すると、この図は、単一ワイヤシステムに適用されたシステム５１０を示す。システム５１０は、主長型要素５１６と、補助長型要素５３４とを含む。好適な態様では、主長型要素５１６がカテーテル５１８である。好適な態様では、カテーテル５１８が、遠心端に固定ワイヤ５２６を備えるバルーン５２４を含む。ステント５１２は、バルーン５２４の上に配置される。好適な態様では、補助長型要素５３４が、ガイドワイヤルーメン５３６であり、補助長型要素５３４は、クロッチポイント５４４にて、カテーテル５１８に付着されている。ガイドワイヤルーメン５３６は、近心端５４２と遠心端５４０とを有する。クロッチポイント５４４は、遠心端５４０に位置される。好適な態様では、ガイドワイヤルーメン５３６が、近位にカテーテル５１８の中に配置され、出口５３７にて抜け出ており、ガイドワイヤルーメン５３６は、クロッチポイント５４４で主長型要素５１６に付着されている。好適な態様においては、ガイドワイヤルーメン５３６の遠心端は、クロッチポイント５４４にあり、そこを貫通するガイドワイヤは、停止点を示すために、遠位にまで伸びる。代替的な態様では、ガイドワイヤルーメンの遠心端が、クロッチポイント５４４の遠位１〜５ｍｍに配置され、この位置でカテーテル１１８と離れる。
【００７２】
ある態様において、ガイドワイヤルーメン５３６は、クロッチポイント５４４の近位で、カテーテル１１８の外部に沿って配置され、クロッチポイント１４４の遠位にて長型要素１１６と離れている。代替的な態様において、ガイドワイヤルーメン５３６は、クロッチポイント５４４の近位及び遠位の両方で、カテーテル１１８と離れている。クロッチポイント５４４は、ステント５１２の近心端の近くに配置される。好適な態様では、クロッチポイント５４４は、ステント５１２の遠心端の近く、およそ２〜３ｍｍに配置される。
【００７３】
好ましい典型的な態様において、図２７ａを参照すると、バルーン５２４は、固定されたワイヤバルーンであり、それ自体は、結合領域５２８でバルーン５２４の遠心端に接続された固定ワイヤ５２６を含む。コアワイヤ５３０（又は骨組み）は、バルーン５２４の内部に沿って配置され、カテーテル５１８の柔軟な部分を固くする。コアワイヤ５３０は、固定ワイヤ５２６と連続的である。本発明の特に特徴的なことは、コアワイヤ５３０が、その近心端にてハイポチューブ５２５に接続され、その遠心端にてバルーン５２４の遠心端に接続され、これらの間の少なくとも一つの他の場所において接続されている。特に、コアワイヤ５３０は、カテーテル５１８と結合している。更に、コアワイヤ５３０は、商業的に利用できる固定ワイヤバルーンでの長繊維と比べると、比較的、厚い。そのような長繊維は、０．００５から０．００９インチ（最も一般的には、０．００７インチ）の範囲が典型的であるが、本発明のコアワイヤ５３０は、０．００９から０．０１２インチ（最も好ましくは、０．０１インチ程度）である。コアワイヤ３０がカテーテル１８に結合していることに加えて、この厚さは、カテーテル５１８の全体に沿った剛性を与える。この剛性は、カテーテル５１８の近心端５２２から遠心端５２０へのトルク力の伝達を行い、トルク能力を向上したシステムを提供する。更に、コアワイヤ５３０による剛性や上述した特徴は、ポリマジャケット又はシステム５１０のその他の対応する部分により、押す力の吸収を妨げることで、本発明のシステムの押し出し能力を向上することである。
【００７４】
次に、図２４ｂを参照すると、この図は、システム５１０’のオーバザワイヤ、２重レールシステムを示している。システム５１０’は、バルーン５２４’の遠心端上に固定ワイヤの代わりに、ガイドワイヤ５２５が存在し、カテーテル５１８’の長さ方向に伸びている点を除いて、図２５ａに示されるシステム５１０に類似している。主ガイドワイヤは、主血管１の中に入るために、主ガイドワイヤルーメン５２５を通じて配置される。システム５１０’は、主ガイドワイヤルーメン５２５の中に配置される主ガイドワイヤにより、あるいは、側肢ルーメン５３６’の中に配置された肢ガイドワイヤにより、病変部に導入されてよい。
【００７５】
次に、図２４ｃを参照すると、この図は、急速交換２重ワイヤシステムを示す。システム５１０’’は、固定ワイヤ、又はカテーテル５１８’’の長さ方向に伸びている主ガイドワイヤルーメンの代わりに、短型主ガイドワイヤルーメン５２７が存在し、これが出口５２９まで近位に伸びていることを除いて、図２４ａ、２４ｃに示すシステム５１０及び５１０’の両方に類似する。本発明においては、クロッチポイント５４４の位置は、血管内の更に適切な場所であってよい。
【００７６】
次に、図２６を参照すると、この図は、血管６００の中の非分岐部病変に配置されたシステム５１０を示す。ある態様では、ガイドワイヤ６１０が、血管６００の中に病変部を通じて導入される。システム５１０は、ガイドワイヤ６１０及び固定ワイヤ５２６により、その病変部分にカテーテル５１８が到達するまで、案内させられる。位置は、マーカ５３２により決定され、図２７ａ〜２７ｄ、図２８にて、更に詳細に説明される。次に、バルーン５２４が膨らまされ、ステント５１２を展開する。展開の後に、バルーン５２４は収縮し、システム５１０が取り除かれる。カテーテル５１８の近心端の近位に、出口を有する血管内のガイドワイヤを準備することで、カテーテルの急速交換が必要な場合に可能となる。更に、システムは、プレディラテーション（ｐｒｅｄｉｌａｔａｔｉｏｎ）の必要がなく、直接ステント処置に使用され、その処置の侵襲性を減少する。代替的な態様では、ガイドワイヤ６１０がバックロードされ、ガイドワイヤルーメン５３６の中に格納され、システム５１０が、固定ワイヤ５２６によって案内されて血管に導入される。システム５１０は、コアワイヤ５３０による剛性によって、病変部を通り抜けるのに適当である。システム５１０が所定位置にあると、ガイドワイヤ６１０は、バックアップワイヤが、病変部の遠位にあるために、（例えば、急速交換の機能のために）前進させられる。次に、バルーン５２４は膨らまされ、ステント５１２を展開する。通常の非分岐部ステント送達システムとして、現在利用可能な典型的な送達システム以上の、システム５１０を使用するいくつかのメリットがある。急速交換は、送達を容易にすることや、必要であればカテーテルの入れ替えを容易にすることを含めた、所定のメリットがあることが広く知られている。しかしながら、これにより、比較的厚いコアワイヤが、全体の直径を増加せずに、大幅な回転運動を容易にし、大幅なトルク力の伝達を促進することで、システムの送達にメリットを与える。更に、直接ステント処置において、ガイドワイヤ６１０又は固定ワイヤ５２６が、その病変部を通り抜けるために適当である。固定ワイヤ５２６により病変部を通り抜けることで、ステント５１２は自動的に配置される。
【００７７】
図２７ａ〜２７ｄを参照すると、これらの図は、好適な態様によるマーカの状態を示す。図２７ａに示すように、第１のマーカ６３０と、第２のマーカ６３２と、第３のマーカ６３４とが、コアワイヤ３０上に存在し、それぞれ、ステント１２の近心端、遠心端、クロッチポイント４４の位置に一致して直線状に配置されている。第４のマーカ６３６は、クロッチポイント４４に配置されるように、第１、第２のマーカ６３０、６３２とともに、三角形を形成する。図２７ｂに示すように、システム１０が定位置にあるときに、３つのマーカの相対位置は、元の状態と一致する。すなわち、第１、第２、第３のマーカ６３０、６３２、６３４は、直線状に配置され、第４のマーカ６３６が、その列から離れている。図２７ｃに示すように、システム１０が９０度回転された場合には、４つのマーカ全てが比較的、同じラインに並ぶ。図２７ｄに示すように、システム１０が、１８０度回転されると、４番目のマーカ６３６は、第１、第２、第３のマーカ６３０、６３２、６３４の先の位置と反対側に配置される。この方法で、２次元的な視覚画面上に、システム１０の回転調整を視覚化することが可能である。加えて、マーカ６３４及び／又は６３６が、三角形で配置されたり、形を示して配置されたりしてよく、図２８に示すように、分岐のアクセスの方を示してよい。これは、更に、適切な位置決めのための、付加的な確認方法を提示する。したがって、全てのマーカが、互いに適切な位置であり、マーカで形成された形が分岐の方を示す場合に、分岐部にて適切な配置となっていることが確認される。
【００７８】
本発明は、本発明の特定の態様により記載されているにもかかわらず、多くの変形例、変更態様及びバリエーションが当業者にとって適用できることが明白である。例えば、自己膨張型のステントが、バルーンで膨張可能なステントの代わりに使用されることが可能である。その場合には、カテーテルが必ずしもバルーンカテーテルである必要はない。したがって、本発明は、全ての、このような変形、修正、バリエーション（添付の特許請求の範囲と解釈の範囲で）を含むことを意図する。本明細書を参照することで、この明細書において言及される全ての刊行物、特許及び特許出願の全てが含まれる。この範囲とは、刊行物、特許、特許出願の各々の記述により、ここに含まれると、具体的に、かつ、個別に、あたかも示されているような内容と同様の範囲である。加えて、本出願の任意の参考文献の引用又は相違点の説明は、そのような参考文献が、従来技術として本発明に適用可能であることを了承しているとは解釈されない。
【００７９】
ここで、添付した図面に関して記述された発明は、一例として示したに過ぎない。図面を参照することで、示されている詳細な部分は、一例を示し、好適な態様の説明の目的のためだけであり、最も有用である、かつ、本発明の原理、概念の側面から、迅速に理解できると信じられていることを提供するための結果として、示されていることを強調する。この点に関して、本発明の基本的な理解のために必要であること以上に詳細に、本発明の構造的な詳細を示すものでなはく、図面とともに把握できる記載から、それらの技術において明らかにされる本発明のいくつかの態様が実際に実施される。
【図面の簡単な説明】
【００８０】
【図１】プラークが堆積された血管分岐の第１のタイプの図である。
【図２】先行技術における分岐部ステント送達システムを示す図である。
【図３】本発明の好適な態様による分岐部ステント送達システム図である。
【図４ａ】図３のシステムで、ステントを外したものを示した図である。
【図４ｂ】図３のシステムで、ステントを外したものを示した図である。
【図４ｃ】図３のシステムで、ステントを外したものを示した図である。
【図４ｄ】図３のシステムで、ステントを外したものを示した図である。
【図５】図３のシステムを分岐部に配置したものを示した図である。
【図６】図３のシステムをステントなしで、更に、遠位連結要素を含めたものを示した図である。
【図７】本発明の他の態様によるステントなしの分岐部ステント送達システムの図である。
【図８】本発明の他の態様によるステントなしの分岐部ステント送達システムの図である。
【図９ａ】本発明の他の態様による分岐部ステント送達システムの図である。
【図９ｂ】本発明の他の態様による分岐部ステント送達システムの図である。
【図１０】プラークが堆積された血管分岐の第２のタイプの図である。
【図１１ａ】図１０に示されるような分岐部を処置するシステムの図である。
【図１１ｂ】図１０に示されるような分岐部を処置するシステムの図である。
【図１１ｃ】図１０に示されるような分岐部を処置するシステムの図である。
【図１２】図１２は、分岐部に配置された図１１ａのシステムの図である。
【図１３】図１３は、プラークが堆積された血管分岐の第３のタイプの図である。
【図１４ａ】図１３に示されるような分岐部を処置するシステムの図である。
【図１４ｂ】図１３に示されるような分岐部を処置するシステムの図である。
【図１５ａ】図１４のシステムで、更にホルダを含む図である。
【図１５ｂ】図１４のシステムで、更にホルダを含む図である。
【図１６ａ】図１４のシステムで、代替的な態様で更にホルダを含む図である。
【図１６ｂ】図１４のシステムで、代替的な態様で更にホルダを含む図である。
【図１７】図１４のシステムがガイドカテーテルの中に導入されていることを示す図である。
【図１８ａ】配置及び展開中における図１４のシステムを示す図である。
【図１８ｂ】配置及び展開中における図１４のシステムを示す図である。
【図１８ｃ】配置及び展開中における図１４のシステムを示す図である。
【図１９】プラークが堆積された血管分岐の第４のタイプの図である。
【図２０】図１９に示されるような分岐部を処置するシステムで、ステントを外したものを示す図である。
【図２１】図２０に示されるようなシステムで、更にステントをそこに含めたものを示す図である。
【図２２ａ】図２０のシステムの展開方法を示す図である。
【図２２ｂ】図２０のシステムの展開方法を示す図である。
【図２２ｃ】図２０のシステムの展開方法を示す図である。
【図２２ｄ】図２０のシステムの展開方法を示す図である。
【図２３】本発明の他の態様による側肢ルーメンを備えたテーパードバルーンシステムを示す図である。
【図２４ａ】タイプ３の分岐部病変又は非分岐部病変に、ステントの送達を行うためのシステムの異なる例を示す図である。
【図２４ｂ】タイプ３の分岐部病変又は非分岐部病変に、ステントの送達を行うためのシステムの異なる例を示す図である。
【図２４ｃ】タイプ３の分岐部病変又は非分岐部病変に、ステントの送達を行うためのシステムの異なる例を示す図である。
【図２５】図２４ａのシステムを分岐部に配置した例を示す図である。
【図２６】図２４ａのシステムを非分岐部病変に正しく配置した例を示す図である。
【図２７ａ】マーカの配置を示す図である。
【図２７ｂ】マーカの配置を示す図である。
【図２７ｃ】マーカの配置を示す図である。
【図２７ｄ】マーカの配置を示す図である。
【図２８】マーカの特別形状の構成を示す図である。
【図２９ａ】分岐部病変の異なるタイプを示す図である。
【図２９ｂ】分岐部病変の異なるタイプを示す図である。
【図２９ｃ】分岐部病変の異なるタイプを示す図である。
【図２９ｄ】分岐部病変の異なるタイプを示す図である。
【図２９ｅ】分岐部病変の異なるタイプを示す図である。
【図２９ｆ】分岐部病変の異なるタイプを示す図である。
【図１】
2007526073.tif 000003
【図２】
2007526073.tif 000004
【図３】
2007526073.tif 000005
【図４ａ】
2007526073.tif 000006
【図４ｂ】
2007526073.tif 000007
【図４ｃ】
2007526073.tif 000008
【図４ｄ】
2007526073.tif 000009
【図５】
2007526073.tif 000010
【図６】
2007526073.tif 000011
【図７】
2007526073.tif 000012
【図８】
2007526073.tif 000013
【図９ａ】
2007526073.tif 000014
【図９ｂ】
2007526073.tif 000015
【図１０】
2007526073.tif 000016
【図１１ａ】
2007526073.tif 000017
【図１１ｂ】
2007526073.tif 000018
【図１１ｃ】
2007526073.tif 000019
【図１２】
2007526073.tif 000020
【図１３】
2007526073.tif 000021
【図１４ａ】
2007526073.tif 000022
【図１４ｂ】
2007526073.tif 000023
【図１５ａ】
2007526073.tif 000024
【図１５ｂ】
2007526073.tif 000025
【図１６ａ】
2007526073.tif 000026
【図１６ｂ】
2007526073.tif 000027
【図１７】
2007526073.tif 000028
【図１８ａ】
2007526073.tif 000029
【図１８ｂ】
2007526073.tif 000030
【図１８ｃ】
2007526073.tif 000031
【図１９】
2007526073.tif 000032
【図２０】
2007526073.tif 000033
【図２１】
2007526073.tif 000034
【図２２ａ】
2007526073.tif 000035
【図２２ｂ】
2007526073.tif 000036
【図２２ｃ】
2007526073.tif 000037
【図２２ｄ】
2007526073.tif 000038
【図２３】
2007526073.tif 000039
【図２４ａ】
2007526073.tif 000040
【図２４ｂ】
2007526073.tif 000041
【図２４ｃ】
2007526073.tif 000042
【図２５】
2007526073.tif 000043
【図２６】
2007526073.tif 000044
【図２７ａ】
2007526073.tif 000045
【図２７ｂ】
2007526073.tif 000046
【図２７ｃ】
2007526073.tif 000047
【図２７ｄ】
2007526073.tif 000048
【図２８】
2007526073.tif 000049
【図２９ａ】
2007526073.tif 000050
【図２９ｂ】
2007526073.tif 000051
【図２９ｃ】
2007526073.tif 000052
【図２９ｄ】
2007526073.tif 000053
【図２９ｅ】
2007526073.tif 000054
【図２９ｆ】
2007526073.tif 000055
【国際調査報告】
2007526073.tif 000056
2007526073.tif 000057